(57)【要約】【課題】構造簡単にして歪みの発生をなくし、組み立て容易な包装用紙箱を提供する。【解決手段】周壁部２，２′が外周壁部片４，４′と内周壁部片５，５′とで折り曲げ二重構造にされ、その内周壁部片５，５′を固定保持するように連接されるフラップ６，８を備える包装用紙箱において、一方の相対する内周壁部片５′はその両端部５ａに隣接する他方の内周壁部片５と接して係止力を付与する突出部が設けられ、他方の相対する内周壁部片５に連なるフラップ６はその両端部６ａを前記一方の内周壁部片５′に連なるフラップ８を交わす寸法分短くして、その端部６ａでそれぞれ面板３に対して接着される構成とされる。【選択図】図１
2008037463.tif 000002
【特許請求の範囲】
【請求項１】
面板の周囲に連接される周壁部が外周壁部片と内周壁部片とで折り曲げ二重構造にされ、その内周壁部片を固定保持するように連接されるフラップを備える包装用紙箱において、一方の相対する内周壁部片にはその両端部に隣接する内周壁部片と接して係止力を付与する突出部が形成され、他方の相対する内周壁部片に連なるフラップはその両端部を前記一方の内周壁部片に連なるフラップを交わす寸法分短くして、前記両端部でそれぞれ面板に対して接着される構成であることを特徴とする包装用紙箱。
【請求項２】
前記他方の内周壁部片に連なるフラップは、その両端部における面板との接着部隣接箇所の一部を、折線に沿って切り離した構造である請求項１に記載の包装用紙箱。
【発明の詳細な説明】
【技術分野】
【０００１】
本発明は、周壁部が折り曲げ二重構造に形成された包装用紙箱に関するものである。
【背景技術】
【０００２】
従来、板紙を用いて形成されている包装用紙箱は、所要形状寸法に打抜かれた一枚のブランクを折り曲げて組み立てられることから、その多くは周壁部が折り曲げ二重構造にされている。このような構造の包装用紙箱は、比較的板厚の薄い板紙を使用して形成されていても、全体的に剛性を高めて箱としての保形性を維持できコストダウンを図ることができる。
【０００３】
このような周壁部を折り曲げ二重構造に形成された包装用紙箱にあっては、図７（ａ）に示されるように、包装用紙箱１００の周壁部１０１を形成する各辺の外周壁部片１０２と内周壁部片１０３とが箱組み立て後に起立状態を維持させる手段として、内周壁部片１０３の先端側に細い帯状のフラップ１０４が連接され、内側に折り曲げられた内周壁部片１０３を外周壁部片１０２に沿わせた状態で前記フラップ１０４が天板１０５あるいは底板の内面に接触して、内周壁部片１０３と外周壁部片１０２とが接して起立保持できるようにされている。また、周壁部１０１のコーナーでは、隣接する周壁が相互に連結されて箱として周壁部１０１が一体化されるように、各辺の外周壁部片１０２，１０２同士を繋ぐひだ状の連結部片１０７を折線に沿い内折りして内外周壁部片１０２，１０３の内側に挟み込んで、その連結部片１０７を介して連結する構成とされている（例えば特許文献１，２等参照）。
【０００４】
ところで、前記周壁部１０１を形成する内外両周壁部片１０２，１０３に連接して天板１０５あるいは底板の内面に接触させたフラップ１０４は、フリーの状態では安定性に欠けるので、これを固定保持させる手段として種々の方式が採用されている。例えば、天板（底板）の内面に対して接着剤で接着する方式、フラップの端部同士を重ね合せるようにする方式（特許文献２参照）。または端部を重ね合わせるとともにその一方の端部を切り込み部に係止させる方式（特許文献１、３参照）などが知られている。
【０００５】
【特許文献１】特開２００６−１３７４４７号公報
【特許文献２】特開２００１−３０１７４３号公報
【特許文献３】特開２００５−１３２４６７号公報
【発明の開示】
【発明が解決しようとする課題】
【０００６】
前述の周壁部が二重構造に形成された包装用紙箱１００における周壁部１０１を固定保持する手段では、箱の各辺の長さ寸法に比べて高さ寸法が低いと、前記フラップ１０４と天板１０５の内面との接触程度が安定せず、内周壁部片１０３が外周壁部片１０２に沿わず内側に浮き出す傾向が強くなる。そのために周壁部１０１の保形性を維持する目的でフラップ１０４を天板１０５内面に接着する方法が採用されている。ところが、例えば「ふた箱」として表面全体に図柄などの印刷をして光沢皮膜を施した美粧紙を用いたものでは、箱形状が長方形である場合、長辺側の周壁部１０１が図７（ｂ）右側で二点鎖線で示されるように、両側ともに内向きに傾く撓みが発生し、身箱と嵌め合わせるときに周壁部１０１の撓みによって正しく包装することが困難で、その撓みに応じて無理に周壁部１０１を立起こす操作が必要になるという問題点がある。また、その撓んだ周壁部１０１を引起すと、図７（ｂ）左側に示されるように、天板１０５の表面においてその内向きに撓みが生じ、かつその撓みが生じる周壁部１０１の基部１０１ａに沿って天板１０５と周壁部１０１の基部１０１ａとの接合部で凹み１０８が発生し、外観的に見苦しい態様となる。なお、前記構成によれば、周壁部１０１の高さ寸法が「ふた箱」より高い「身箱」においても同様な現象が発生しやすい。したがって、このような外観上の不具合は包装用紙箱として好ましくない。
【０００７】
また、前記先行技術における内折りされたフラップについて、コーナー部で隣接するフラップ同士の端部を重ね合わせて止める場合は、使用される板紙の厚さが薄いとはいえども、重ね合わせた部分が盛り上がるから好ましくない。また、折り曲げた後における内周壁部片の係止力を確保するのに接合箇所に切り込みを設けてフラップの端を切り込みに差し込んで係止する方式も、一見効果的に見えるが、その係止のために差し込んだり嵌め込む操作は厄介で組み立てに手数を要するという問題がある。
【０００８】
本発明は、このような問題点を解決するためになされたもので、構造簡単にして歪みの発生をなくし、組み立て容易な包装用紙箱を提供することを目的とするものである。
【課題を解決するための手段】
【０００９】
前記目的を達成するために、本発明による包装箱は、
面板の周囲に連接される周壁部が外周壁部片と内周壁部片とで折り曲げ二重構造にされ、その内周壁部片を固定保持するように連接されるフラップを備える包装用紙箱において、一方の相対する内周壁部片にはその両端部に隣接する内周壁部片と接して係止力を付与する突出部が形成され、他方の相対する内周壁部片に連なるフラップはその両端部を前記一方の内周壁部片に連なるフラップを交わす寸法分短くして、前記両端部でそれぞれ面板に対して接着される構成であることを特徴とするものである（第１発明）。
【００１０】
前記発明において、前記他方の内周壁部片に連なるフラップは、その両端部における面板との接着部隣接箇所の一部を、折線に沿って切り離した構造であるのが好ましい（第２発明）。
【発明の効果】
【００１１】
本発明によれば、内側に折込まれた四辺の内周壁部片のうち、縦または横方向の相対する一対の内周壁部片に連なるフラップを、その両端部で面板（天板または底板）に接着してその内周壁部片を固定し、この辺とは異なる一対の内周壁部片は両端部で突出部を前記隣接の内周壁部片に当接させて係止することにより固定されるので、各辺の内周壁部片はいずれもコーナー部で相互に固定される。そして、面板に対しては四辺のうちに相対する二辺のみが一部を接着して固定されるだけであるから、歪みを発生させることがない。したがって、ふた箱であっても外観が美麗に仕上げられるという効果を奏する。もちろん、身箱においても問題なく、簡単な構造にして有効な折り曲げ二重構造周壁部を形成される包装用紙箱を得ることができるのである。
【００１２】
特に、第２発明の構成を採用することにより、接着固定部が面板側と内周壁部片とで部分的に切り離された状態にされているので、固定機能を維持して接着による影響が回避され面板側に歪みを与えることがない。
【発明を実施するための最良の形態】
【００１３】
次に本発明による包装用紙箱の具体的な実施の形態について、図面を参照しつつ説明する。
【００１４】
図１には本実施形態の包装用紙箱の一部切欠き全体斜視図が、図２には図１で示される包装用紙箱の展開図が、図３には要部を拡大して表わす斜視図（ａ），（ｂ）と図（ａ）におけるＣ視模式図が、図４には組み立て前の全体斜視図（ａ）および組み立て開始時の要領を表わす図（ｂ）が、図５には組み立て途中を表わす図が、図６には内周壁部片固定部を表わす斜視図が、それぞれ示されている。
【００１５】
この実施形態の包装用紙箱（以下、単に「箱体１」という）は、比較的薄手の板紙を用いて一枚のブランクから組み立て形成されており、所定寸法の面板３の周囲に二重構造の周壁部２を備えている。
【００１６】
この箱体１は、図２に示される形状に、板紙から打抜かれた一枚のブランクからなり、所要寸法の長方形の面板３の周囲に、図上左右（横方向）には折目線ａ，ｂを介して外周壁部片４と内周壁部片５がそれぞれ連接されている。そして、その内周壁部片５の外側位置には、組立時に内周壁部片５を固定する細幅帯状のフラップ６がそれぞれ外折目線ｃを介して連接されている。なお、前記フラップ６は内周壁部片５の全長より両端部６ａ，６ａにおいて所要寸法短くされ、かつその両端部６ａ，６ａでの外折目線ｃの位置を所要長さ切線７にて切り離されている。また、面板３の図上上下（縦方向）には折目線ｄ，ｅを介して外周壁部片４′と内周壁部片５′がそれぞれ連接されている。それら内周壁部片５′の外側位置に外折目線ｆを介して内周壁部片５′を固定する細幅帯状のフラップ８が連接されている。
【００１７】
前記縦方向と横方向の各外周壁部片４，４′の長さ方向両端部は、中間位置の中折線ｇを介して折込まれるようにされた連結部片１０によってそれぞれ相互に連結されている。前記連結部片１０は、横方向位置の外周壁部片４と折目線ｈで連結される三角部分１０ａに対して縦方向位置の外周壁部片４′と折目線ｊで連結される三角部分１０ｂが中折線ｇより長く突き出す形状とされている。なお、前記中折線ｇは面板３のコーナ位置から中間部までに切線ｇ′を付して折り曲げ容易にされている。
【００１８】
一方、横方向位置の内周壁部片５の長手方向両端部には閉じ合わせ保持用のフラップ１１がそれぞれ折目線ｋを介して連接されている。また、縦方向位置の内周壁部片５′は両端部５ａ，５ａの外周壁部片４′寄りにそれぞれ浅い切込み部１２が形成されて、隣接する端部が突出部５ｂとなるようにされている。
【００１９】
このように形成される前記箱体１のブランクは、図２において格子模様を付した部分にのみ接着剤１５を付着して横方向位置両方の内周壁部片５，５を折目線ｂ，ｂに沿ってそれぞれ外周壁部片４，４の内側に折込んで添わせ、その状態で外周壁部片４，４を折目線ａ，ａに沿わせてそれぞれ面板３側へ折込むとともに、フラップ６，６を外折目線ｃ，ｃに沿って谷折りして面板３に当接させる。
【００２０】
一方、前記要領で横方向位置の内外両周壁部片４，４，５，５を折畳む操作に連動して、縦方向位置の外周壁部片４′，４′に連なる連結部片１０の三角部分１０ｂ，１０ｂをそれぞれ折目線ｊ，ｊに沿って内側に折込んで、付着してある接着剤１５によりその三角部分１０ｂを外周壁部片４′の内面に接着する。これとは別に前記フラップ６，６の両端部に付着してある接着剤１５にてそのフラップ６の両端部６ａ，６ａを面板３に接着する。こうすることにより図４（ａ）に示されるように、箱体１のブランクが組み立て可能な状態で偏平に成形される。したがって、この状態で複数個を積層結束して製函工場から需要家に出荷することができる。
【００２１】
次に、図４（ａ）で示す状態から箱体１を組み立てるには、図４（ｂ）で示されるように、横方向の周壁部２，２を手で持って外側に引起すと、前述のように各連結部片１０によって結合連結されている縦方向位置の外周壁部片４′、４′が同時に引起される。そこで、横方向の周壁部２，２を直立状態にした後、図５に示されるように、一方の縦方向位置の外周壁部片４′に連接する内周壁部片５′を矢印Ｐで示すように、折目線ｅに沿って内側へ折り曲げて外周壁部片４′の内面に沿わせるようにする。この際、連結部片１０とともに既に起立している横方向の内周壁部片５，５に付されているフラップ１１，１１は、それぞれ内向きに折込んで、内周壁部片５′と外周壁部片４′との間に挟み込む。続いて、他方の縦方向位置の外周壁部片４′に連接する内周壁部片５′を前記同様にして内側に折り曲げる。この際、端部に連なるフラップ８，８は、いずれも外折目線ｆ，ｆに沿って谷折りし、内周壁部片５′を折り曲げると面板３に沿わせるようにする。
【００２２】
こうして箱体１が組上げられるが、先に起立形成した横方向の両周壁部２，２に対して、後から組み立てた縦方向位置の周壁部２′は、図６で示されるように、内側に折込まれた内周壁部片５′の両側端部５ａが、折り曲げ部に連接する部分に切込み１２が設けられているので、隣接する横方向位置の内周壁部片５との接触部分を浮かせた状態となり、面板３寄りの部分で突出部５ｂが隣接位置の内周壁部片５に接触することになるので、両者は後入れした内周壁部片５′の端部５ａに形成される突出部５ｂが対応する内周壁部片５の端部に対して強く接触する。併せてフラップ８が面板３に接触して折り曲げた内周壁部片５′の浮き上がりが阻止されるので、周壁部２，２′の接合するコーナ部分は強固に固定されるのである。また、横方向位置の内周壁部片５は、連接するフラップ１１が後入れされた内周壁部片５′と対応する外周壁部片４′とで挟み込まれているので、緩むこともない。その結果、全周壁部２，２′は保形されて箱体１の組立が完了する。なお、縦横両方向の各フラップ６，８は、横方向位置のフラップ６端が短く形成されて、縦方向位置のフラップ８が前記フラップ６端に形成される空白部に収まるようにされるので、重なり合うことなく同一面に揃えられる。
【００２３】
このように構成される本実施形態の箱体１は、横方向に配される周壁部２内側のフラップ６が長手両端部６ａ，６ａでスポット的に接着剤１５で接着されるだけで、中間部は面板３に対してフリーの状態にされる。しかも、内周壁部片５とは接着部に隣接する折目線ｃの一部を切線７で切り離した構造にされているので、面板３に対して拘束されることがない。したがって、組み立てによって面板３側に歪みを起こさせることなく仕上げることができるので、例えば箱体１の外表面全体に印刷して樹脂皮膜を形成しても、面板３部と周壁部２との折り曲げ稜線に沿って歪みが生じるようなことなく美麗に仕上げることができるのである。
【００２４】
この箱体１は用済みによって解体する場合、縦方向位置の内周壁部片５′，５′に連なるフラップ８，８を起こして手前に引上げるようにすれば、その内周壁部片５′，５′の両端部５ａ，５ａが隣接部と摩擦力で固定されているのを解除されるので、そのまま引上げて展開すれば、両横方向位置の周壁部２，２を内側に折畳めるので、図４（ａ）の状態に畳んで嵩低くすることができる。もちろん、分解する場合もフラップ６および連結部片１０の一部をスポット的に接着しているだけであるので、簡単に接着部を剥がして全展開することが可能である。
【００２５】
上述したように、本実施形態の箱体は、これを「ふた箱」としても、あるいは「身箱」としても同様にして形成することができる。したがって、組合わせる場合には、その内法と外形寸法を勘案して作成すればよい。
【図面の簡単な説明】
【００２６】
【図１】本実施形態の包装用紙箱の一部切欠き全体斜視図
【図２】図１で示される包装用紙箱の展開図
【図３】要部を拡大して表わす斜視図（ａ），（ｂ）と図（ａ）におけるＣ視模式図
【図４】組立前の全体斜視図（ａ）および組み立て開始時の要領を表わす図（ｂ）
【図５】組み立て途中を表わす図
【図６】内周壁部片固定部を表わす斜視図
【図７】従来の二重周壁構造の包装用紙箱を表わす図（ａ）および模式的に表した断面図（ｂ）
【符号の説明】
【００２７】
１    箱体
２，２′    周壁部
３    面板
４    横方向の外周壁部片
４′    縦方向の外周壁部片
５    横方向の内周壁部片
５′    縦方向の内周壁部片
５ｂ    突出部
６，８，１１    フラップ
７    切線
１０    連結部片
１２    切込み
１５    接着剤
【図１】
2008037463.tif 000003
【図２】
2008037463.tif 000004
【図３】
2008037463.tif 000005
【図４】
2008037463.tif 000006
【図５】
2008037463.tif 000007
【図６】
2008037463.tif 000008
【図７】
2008037463.tif 000009